(57)【特許請求の範囲】
【請求項１】
内部に光源を収納する筐体を含み、前記光源の光を外部に照射させるための窓部を有する照明ユニット本体と、
前記照明ユニット本体の重心位置を通過する回転軸廻りに、全周にわたって前記照明ユニット本体を回転自在に支持し、前記回転軸を中心とする円周上に複数の取付孔を形成した環状部を有する支持部材と、
を備え、
前記照明ユニット本体は、
前記回転軸を中心とする円周上に少なくとも１つの係合部と、
前記複数の取付孔の何れかを貫通して前記係合部に係合する固定部材と、
前記環状部の内周と同一径の円弧で構成された円弧部であって前記環状部の内周面に摺動する円弧部と、を有し、
前記環状部の内周面に前記円弧部が摺動する状態で前記支持部材によって図心廻りに回転自在に支持される、照明ユニット。
【請求項２】
前記筐体は、前記回転軸に直交する面内における断面が前記回転軸に沿って一様となる形状を呈する請求項１に記載の照明ユニット。
【請求項３】
前記筐体は、対向する２側面が互いに対称形状を呈し、
前記支持部材は、前記２側面のそれぞれに配置される請求項１又は２に記載の照明ユニット。
【発明の詳細な説明】
【技術分野】
【０００１】
この発明は、所望の場所を照らす照明ユニットに関する。
【背景技術】
【０００２】
石油化学プラント等の可燃性ガス雰囲気の危険区域内でも、暗所での作業や夜間の作業時に照明が必要とされる場合がある。このため、光源を電源回路等の電気部品とともに防爆構造の筐体に収納した防爆型照明ユニットが提案されている（例えば、特許文献１参照。）。
【０００３】
危険区域内では、光源からの光を対象物に適正に照射できるような位置に防爆型照明ユニットを取り付けるための部材が存在しない場合が多い。
【０００４】
そこで、従来の一般的な照明ユニットとして、図６に示すように、光源及び電気部品を収納した筐体１１０を支持金具１２０を介して取付位置に取り付けるようにしたものがある。支持金具１２０は、筐体１１０を回転軸１２１廻りに回転自在に支持するとともに、回転軸１２１を中心とする円弧上に複数の固定孔１２２を備えている。複数の固定孔１２２の何れかに筐体１１０に形成された穴部を選択的に対向させ、固定ネジ１３０を固定孔１２２を経由して穴部に螺合させる。光源の光が窓部１１１から対象物に適正に照射されるように、支持金具１２０に対する筐体１１０の回転角度を所定範囲内で調整できる。
【先行技術文献】
【特許文献】
【０００５】
【特許文献１】特開平１１−０５３９２９号公報
【発明の概要】
【発明が解決しようとする課題】
【０００６】
しかし、従来の照明ユニットでは、支持金具に対する筐体の回転範囲が所定範囲に限られているため、光の照射範囲の自由度が低く、光を対象物に的確に照射できない場合を生じる。
【０００７】
また、回転軸に直交する面内で筐体の重心位置が回転軸の位置から大きく変位しているため、例えば、耐圧防爆構造の筐体のように質量の大きな筐体の回転操作に必要な操作力が筐体の回転角度に応じて変化し、光の照射範囲の調整作業が困難になる。
【０００８】
この発明の目的は、筐体をその重心位置に一致する回転軸廻りに３６０度の範囲で回転させることができるようにし、対象物を的確に照明するための光の照射範囲の調整作業を容易に行うことができる照明ユニットを提供することにある。
【課題を解決するための手段】
【０００９】
この発明に係る照明ユニットは、照明ユニット本体、支持部材からなる。照明ユニット本体は、内部に光源を収納する筐体を含み、光源の光を外部に照射させるための窓部を有する。支持部材は、照明ユニット本体の重心位置を通過する回転軸廻りに、全周にわたって筐体を回転自在に支持する。照明ユニット本体は、回転軸を中心とする円周上に少なくとも１つの係合部を有し、支持部材は、円周上に複数の取付孔を有し、複数の取付孔の何れかを貫通して前記係合部に係合する固定部材を備える。支持部材は、複数の取付孔を有する環状部を含み、照明ユニット本体が環状部の内周面に摺動する円弧部を有する。支持部材は、環状部の内周面に前記円弧部が摺動する状態で前記照明ユニット本体を図心廻りに回転自在に支持する。
【００１０】
この構成によれば、照明ユニット本体は、支持部材によって重心を通る回転軸廻りに全周にわたって回転自在に支持される。照明ユニット本体は、照明位置の変更に際して、重心位置の変位を伴うことなく支持部材に対して３６０°の範囲で回転する。固定部材を複数の取付孔の何れかに貫通させて係合部に係合させると、照明ユニット本体は任意の回転角度で固定される。照明ユニット本体は、円弧部が環状部の内周面に摺動する状態で、支持部材に対して安定して回転する。
【００１３】
また、回転軸に直交する面内における照明ユニット本体の断面が回転軸に沿って一様となる形状を呈することが好ましい。回転角度に応じた筐体の支持部材に対する形状変化が最小となり、照明ユニット本体の回転操作が容易になるとともに、取付スペースが最小となる。
【００１４】
さらに、照明ユニット本体は対向する２側面が互いに対称形状を呈するものとし、支持部材は２側面のそれぞれに配置することが好ましい。照明ユニット本体を対向する２側面のそれぞれで支持部材によって安定した状態で支持することができる。
【発明の効果】
【００１５】
この発明によれば、光源を収納した筐体をその重心位置に一致する回転軸廻りに３６０度の範囲で回転させることができ、光の照射範囲の調整作業を容易に行うことができる。
【図面の簡単な説明】
【００１６】
【図１】この発明の実施形態に係る照明ユニットの斜視図である
【図２】同照明ユニットの概略の側面図である。
【図３】同照明ユニットの支持部材の斜視図である。
【図４】（Ａ）〜（Ｃ）は、同照明ユニットにおける筐体の回転状態を説明する側面図である。
【図５】同照明ユニットの内部構造を示す断面図である。
【図６】従来の照明ユニットの側面図である。
【発明を実施するための形態】
【００１７】
以下に、この発明の実施形態に係る照明ユニットについて、図面を参照しつつ説明する。
【００１８】
図１に示すように、照明ユニット１００は、照明ユニット本体１１０及び一対の支持部材２０を備えている。照明ユニット本体１１０は、筐体１０及び筐体１０に設けられた基板等の部品を含んで構成されている。筐体１０は、一例として内部に光源を電気部品とともに収納した耐圧防爆構造の容器である。筐体１０は、正面（図１では上向きにされている。）及び背面を平面で構成した円筒形状を呈し、一例としてアルミニウム合金の引抜加工によって形成され、十分な肉厚を有しており、横断面の形状は長手方向に沿って一様にされている。筐体１０の円弧部分の外周面には、長手方向に平行なリブが複数形成されている。
【００１９】
筐体１０は、正面に強化ガラスで被覆した矩形の窓部１１を備えている。光源の光は、窓部１１を経由して、一例として窓部１１の法線方向である所定の光軸方向に沿って筐体１０の外部に照射される。光軸方向を含む面は、筐体１０の長手方向に直交している。
【００２０】
筐体１０は、両側面が開口している。両側面は、蓋体１２によって閉塞される。蓋体１２は、円筒形の引き込み部１４を中心が筐体１０の横断面の図心に一致するように備えている。引き込み部１４は、蓋体１２を筐体１０の長手方向に沿って貫通している。光源や電気部品に対する電源線及び信号線は、引き込み部１４を経由して筐体１０の内部に挿入される。引き込み部１４は、電源線及び信号線が筐体１０の長手方向に挿入されている状態で、筐体１０内部の防爆構造を維持する。
【００２１】
一対の支持部材２０は、一例として金属平板のプレス加工によって形成されており、筐体１０の両側面のそれぞれに配置される。図２に示すように、支持部材２０は、互いに直交する取付部２１と環状部２２とを備えている。取付部２１には、２箇所に凹部２４が形成されている。取付部２１の上方から凹部２４を貫通するネジを介して、支持部材２０が危険区域内に配置されている図外の取付用フレームに固定される。環状部２２には、全周にわたって複数（図２に示す例では３６個）の取付孔２３が等間隔に形成されている。複数の取付孔２３の各々の中心位置は、環状部２２と同心の円周上に位置している。
【００２２】
図３（Ａ）及び（Ｂ）に示すように、環状部２２の外周及び内周は筐体１０の横断面の図心を中心としており、複数の取付孔も筐体１０の横断面の図心を中心とする円周上に配置されている。筐体１０の両側部には、環状部２２の内周と同一径の円弧で構成された円弧部１５を有する段部１６が形成されている。円弧部１５は、筐体１０の横断面における４箇所に形成されている。筐体１０の長手方向における段部１６の長さは、環状部２２の厚さに等しくされている。蓋体１２の横断面は、筐体１０における段部１６以外の部分の横断面に等しい。
【００２３】
筐体１０の両端部の段部１６に支持部材２０の環状部２２を配置し、筐体１０の両端部に蓋体１２を装着すると、環状部２２の内周面２２Ａに円弧部１５が摺動する状態で筐体１０に支持部材２０によって筐体１０の横断面の図心廻りに回転自在に支持される。
【００２４】
防爆構造の筐体１０は、十分な肉厚を有しており、内部に収納する光源や電気部品に比較して十分に重い。このため、筐体１０の横断面における重心位置は図心に略一致しており、照明ユニット本体１１０における重心位置の変位を伴うことがないため、筐体１０を手で掴んで容易に回転させることができ、照明ユニット本体１１０から手を離しても照明ユニット本体１１０が自重によって回転することもない。なお、本発明の重心位置は、回転軸廻りに回転自在に保持された状態で、照明ユニット本体の自重のみで回転しない範囲内にあればよい。本実施形態では、この重心位置の範囲内に図心位置が含まれる。
【００２５】
図５に示すように、筐体１０は、引抜き成形により、一対の段部１０Ｂが内部の収納部１０Ａに一体に形成された状態の一様な断面形状に成形され、切削加工によって正面１Ａに窓部１１が開設される。したがって、一対の段部１０Ｂは、収納部１０Ａ内において、正面１Ａに平行な方向の全域にわたって形成される。また、収納部１０Ａは、筐体１０の両側面において開口部１０Ｃとして開放している。
【００２６】
筐体１０の収納部１０Ａには、光源であるＬＥＤ３０を実装した光源用基板３１、電気部品４０を実装した電気部品用基板４１が、開口部１０Ｃから挿入される。ＬＥＤ３０には、レンズが装着されている。正面１Ａの存在により、ＬＥＤ３０が正面１Ａの内側面に干渉しないように、ＬＥＤ３０を強化ガラス板１１Ａの内側面から少なくとも正面１Ａの厚みＤだけ背面側に離間させて、光源用基板３１を開口部１０Ｃから挿入する必要がある。
【００２７】
強化ガラス板１１Ａの内側面とＬＥＤ３０との間に厚みＤ分の間隙が形成されると、収納部１０Ａ内に無駄なスペースが存在して本体１が大型化するだけでなく、ＬＥＤ３０の光の配光角度が狭くなる。
【００２８】
そこで、光源用基板３１を収納部１０Ａ内に収納した後に、光源用基板３１の背面側に当接するスペーサ５０を段部１０Ｂ内に開口部１１Ｃから挿入する。スペーサ５０の厚さは、正面１Ａの厚さＤに略等しくされており、光源用基板３１を厚さＤだけ強化ガラス板１Ａの内側面に向けて移動させる。
【００２９】
なお、一対の段部１０Ｂのそれぞれは、挿入されたスペーサ５０における光源用基板３１の背面との当接面から正面１Ａの外側面までの長さが、ＬＥＤ３０を実装した光源用基板３１の高さに一致する位置に形成されている。
【００３０】
これによって、ＬＥＤ３０と強化ガラス板１１Ａの内側面との間の間隙が無くなり、収納部１０Ａ内に無駄なスペースが形成されることがなく、筐体１０の大型化を防止できる。また、ＬＥＤ３０の光の配光角度を広くすることができる。
【００３１】
また、図５に示す筐体１０に設けられた各部品は、照明ユニット本体１１０が自重のみで回転しないように配置されている。特に、比較的重い部品ほど重心位置に近接させて配置することが望ましい。
【００３２】
筐体１０及び蓋体１２は、図３（Ａ）中に斜線で示す範囲で環状部２２の両面に当接する。このため、支持部材２０を挟んで蓋体１２を筐体１０に装着すると、筐体１０の長手方向（重心軸方向）の移動が規制される。このため、筐体１０を支持部材２０に対して安定した状態で回転させることができる。
【００３３】
図３（Ｂ）に示すように、筐体１０の両端部における窓部１１側には、一例として２箇所にネジ孔１７が形成されている。ネジ孔１７は、この発明の係合部に相当する。蓋体１２には、２箇所のネジ孔１７のそれぞれに対向する位置に貫通孔１８が形成されている。環状部２２の複数の取付孔２３の何れか２つにネジ孔１７及び貫通孔１８を対向させ、固定ネジ１９を貫通孔１８から取付孔２３を経由してネジ孔１７に締着することで、支持部材２０に対する筐体１０の重心軸廻りの回転位置を固定することができる。固定ネジ１９は、この発明の固定部材に相当する。
【００３４】
支持部材２０の環状部２２には、全周にわたって等間隔に３６個の取付孔２３が形成されている。このため、図４（Ａ）〜（Ｃ）に示すように、筐体１０を３６０度の回転角度範囲における１０度毎の各回転位置で固定することができ、光源の光の照射方向の自由度が増し、対象物を的確に照明することができる。
【００３５】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【００３６】
例えば、支持部材２０は、必ずしも筐体１０の両端部に配置する必要はない。筐体１０の重心軸方向の長さが短い場合には、単一の支持部材２０に筐体２０を片持ち支持させることもできる。また、筐体１０及び蓋体１２に、それぞれ単一のネジ孔１７及び貫通孔１８を形成してもよく、それぞれ３個以上のネジ孔１７及び貫通孔１８を形成してもよい。また、筐体１０は、耐圧防爆構造の容器に限るものではない。
【符号の説明】
【００３７】
１０−筐体
１１−窓部
１２−蓋体
１７−ネジ孔
１８−貫通孔
１９−固定ネジ
２０−支持部材
２２−環状部
２３−取付孔
１００−防爆型照明ユニット
１１０−照明ユニット本体
【図１】
0005632243.tif 000002
【図２】
0005632243.tif 000003
【図３】
0005632243.tif 000004
【図４】
0005632243.tif 000005
【図５】
0005632243.tif 000006
【図６】
0005632243.tif 000007